(57)【要約】【課題】性能が一様でない外付けのデジタル記録機器に融通性をもって記録することができる技術を提供する。【解決手段】複数チャンネル数の同時録画を設定する設定手段と、所望のインターフェースを介して接続された複数の記録媒体の最大録画チャンネル数を測定する測定手段と、前記同時録画を行うチャンネル数を確保する前記記録媒体の組み合わせを決定し、この決定した組み合わせの記録媒体に前記同時録画を実行する同時録画手段とを備えた放送受信装置。【選択図】  図３
2012253466.tif 000002
【特許請求の範囲】
【請求項１】
複数チャンネル数の同時録画を設定する設定手段と、
所望のインターフェースを介して接続された複数の記録媒体の最大録画チャンネル数を測定する測定手段と、
前記同時録画を行うチャンネル数を確保する前記記録媒体の組み合わせを決定し、この決定した組み合わせの記録媒体に前記同時録画を実行する同時録画手段とを
備えた放送受信装置。
【請求項２】
前記同時録画手段は、更に前記記録媒体の容量に基づいて前記組み合わせを決定する請求項１記載の放送受信装置。
【請求項３】
前記同時録画手段は、前記容量に由来する前記記録媒体の各最大録画チャンネル数以内のあるチャンネル数における最大記録可能時間に基づいて前記同時録画を実行する請求項２記載の放送受信装置。
【請求項４】
前記インターフェースは、ＵＳＢインターフェースである請求項１記載の放送受信装置。
【請求項５】
複数チャンネル数の同時録画を設定し、
所望のインターフェースを介して接続された複数の記録媒体の最大録画チャンネル数を測定し、
前記同時録画を行うチャンネル数を確保する前記記録媒体の組み合わせを決定し、この決定した組み合わせの記録媒体に前記同時録画を実行する放送受信方法。
【発明の詳細な説明】
【技術分野】
【０００１】
本発明の実施形態は、受信した放送コンテンツ等を例えば家庭内ネットワークやＵＳＢを介してデジタル記録再生機器に記録や再生をする放送受信装置及び方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も敷衍されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
このようなデジタル放送受信装置においては、ＵＳＢインターフェースを介してＨＤＤを接続し、あたかもハードディスクレコーダ内蔵のＤＴＶであるかのようにふるまうための各種の処理を記述した機能拡張プログラムを記憶する。これにより、ＡＶＨＤＤよりも値段の安い、ＵＳＢケーブルを用いて接続されるタイプのＨＤＤを、ＩＥＥＥ１３９４ネットワーク上のディスクサブユニットとして機能させる技術が開示されている。
【０００５】
このような放送受信装置に関しては、内蔵のＨＤＤを用いた例えばタイムシフト機能が実用化されている。また、通常は内蔵された記憶装置に記録を行なうが、同時記録可能な能力以上の映像記録要求が発生した場合には、ネットワーク上で連携する他の映像記録装置の非稼働資源を活用し、映像記録を行なうという工夫がある（例えば、特許文献１参照。）。
【０００６】
しかしながら、性能が一様でない外付けＨＤＤなどのデジタル記録再生機器に融通性をもって記録や再生をすることへの要望がある。
【先行技術文献】
【特許文献】
【０００７】
【特許文献１】特開２００５−２５２４０２号公報
【発明の概要】
【発明が解決しようとする課題】
【０００８】
本発明の実施の形態は、性能が一様でない外付けのデジタル記録機器に融通性をもって記録することができる技術を提供することを目的とする。
【課題を解決するための手段】
【０００９】
上記課題を解決するために、実施形態によれば放送受信装置は、複数チャンネル数の同時録画を設定する設定手段と、所望のインターフェースを介して接続された複数の記録媒体の最大録画チャンネル数を測定する測定手段と、前記同時録画を行うチャンネル数を確保する前記記録媒体の組み合わせを決定し、この決定した組み合わせの記録媒体に前記同時録画を実行する同時録画手段とを備えた。
【図面の簡単な説明】
【００１０】
【図１】本実施形態を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】同実施形態のデバイス情報リストを説明するために示す図。
【図４】実施形態の動作を説明するためのフローチャート。
【図５】ＧＵＩ画面の一例である機器登録画面を示す図。
【図６】同実施形態のタイムスケジュールの例を示す説明図。
【発明を実施するための形態】
【００１１】
以下、本発明の一実施形態を図１乃至図６を参照して説明する。
図１は、本発明に係る通信装置であるネットワーク機能を備えたデジタルテレビジョン放送受信装置１１１の外観と、このデジタルテレビジョン放送受信装置１１１を中心として構成されるネットワークシステムの一例を概略的に示している。
【００１２】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１３】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１４】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１５】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１６】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１７】
このように、ＬＡＮ対応ＨＤＤ専用ポートとしての第１のＬＡＮ端子１２１を設けることにより、他のネットワーク環境やネットワーク使用状況等に影響されることなく、ＬＡＮ対応のＨＤＤ１２５に対してハイビジョン画質による番組の情報記録を安定して行なうことができる。
【００１８】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバー１２８、ＨＤＤ内蔵のＤＶＤ（Digital Versatile Disk）レコーダ１２９等の機器を接続し、これらの機器と情報伝送を行なうために使用される。
【００１９】
なお、コンテンツサーバー１２８については、家庭内ネットワークにおいてコンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２０】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２１】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバー１３３や携帯電話１３４等と情報伝送を行なうために使用される。
【００２２】
なお、コンテンツサーバー１３３についてはコンテンツのサーバー機器として動作するための機能を持ち、さらにコンテンツのアクセスに必要なＵＲＩ情報を提供するサービスを備えたＵＰｎＰ対応機器として構成される。
【００２３】
また、上記ＵＳＢ端子１２３は、一般的なＵＳＢ対応ポートとして使用されるもので、例えばハブ１３５を介して、ＨＤＤ１３６、ＨＤＤ１３７、ＨＤＤ１３８、ＨＤＤ１３９、キーボード１４０等のＵＳＢ機器を接続し、これらのＵＳＢ機器と情報伝送を行なうために使用される。
【００２４】
さらに、上記ｉ．ＬＩＮＫ端子１２４は、例えばＡＶ−ＨＤＤ１４１、Ｄ（Digital）
−ＶＨＳ（Video Home System）１４２等をシリアル接続し、これらの機器と情報伝送を行なうために使用される。
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２５】
チューナ２４５ａは、制御部２６１からの制御信号により所望のチャンネルの放送信号を選局し、この選局された放送信号をＰＳＫ（Phase Shift Keying）復調器２４５ｂに出力する。
【００２６】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２７】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２８】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００２９】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３０】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３１】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３２】
また、ＴＳ復号器２５０ｃは、デジタル放送により送られているセクション情報をセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３３】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３４】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３５】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号，ＧＵＩ画面とを合成して映像処理部２５８へ出力する機能を有する。
【００３６】
また、字幕放送による字幕を表示するとき、グラフィック処理部２５４は、制御部２６１からの制御による字幕情報に基づき、映像信号上に字幕情報を重畳する処理を行う。
【００３７】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３８】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３９】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４０】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４１】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４２】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４３】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４４】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４５】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４６】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００４７】
ところで、この実施形態では、ＬＡＮ対応のＨＤＤ１２５に初期登録時のＨＤＤ１２５、ＨＤＤ１２７、コンテンツサーバー１２８、ＤＶＤレコーダ１２９それぞれに割り当てられたストレージＩＤ（ＩＰアドレス、機器名を含む）を記述した登録ファイルを記憶保持している。
【００４８】
また、不揮発性メモリ２６１ｃに、ＬＡＮ対応のＨＤＤ１２５、ＨＤＤ１２７、コンテンツサーバー１２８、ＤＶＤレコーダ１２９それぞれのストレージＩＤを記憶している。
【００４９】
また、制御部２６１は、この実施形態に係わる機能として、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００５０】
（１）制御部２６１は、サーバー機器発見機能２６１ｄにより、ＵＰｎＰのディスカバリ機能を用いてネットワーク上のＵＰｎＰ対応機器を発見する。例えばサーバー機器発見機能２６１ｄは、ＵＰｎＰのディスカバリ機能を用いてコンテンツサーバー１２８を発見する。
【００５１】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバー１２８をコントロールし、コンテンツサーバー１２８内のＨＤＤ等に蓄積されているコンテンツをアクセスするために必要なＵＲＩ情報をコンテンツサーバー１２８から取得する。
【００５２】
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５３】
さらに、上記制御部２６１は、ネットワーク上の記録再生処理を行う記録再生機器を登録する登録部２６１ｇと、任意の記録再生位置にファイルを記録させる記録速度を測定する測定制御部２６１ｈとを有しており、後に詳細に説明する測定処理を行うものである。
【００５４】
以下、一般的なＵＳＢ対応ポートであるＵＳＢ端子１２３を用いてＵＳＢ機器であるＨＤＤ１３９を接続し、ＨＤＤ１３９（以下、ＵＳＢ  ＨＤＤ１３９と記す）へ記録／再生を行う場合について説明する。
【００５５】
しかし、本実施形態はＵＳＢに限定されるものではなく、ＩＥＥＥ１３９４やＬＡＮ−ＨＤＤ等、他のインターフェースに適用しても良い。
なお、図１ではＵＳＢ  ＨＤＤ１３９は、ハブ１３５を介して複数のＵＳＢ機器で使用されているが、好ましくは専用ポートとすることで、他機器の影響を受けることを防ぐことができる。
ところで現在、内蔵ＨＤＤを対象としたタイムシフト録画が可能なＴＶが商品化されており、今後外付けＵＳＢ  ＨＤＤに対してタイムシフト録画が実行可能な製品の需要が高まる事が推測できる。
【００５６】
どのＵＳＢ  ＨＤＤでも６チャンネル(６チャンネルに限った事ではなく、そのシステムが可能なタイムシフト録画の最大チャンネル数)のタイムシフト録画を実現できる訳ではなく、例えばポータブルＨＤＤや古いＵＳＢ  ＨＤＤなどは後述する性能値が未達になってしまうものもある。
【００５７】
このようなＵＳＢ  ＨＤＤに対しても、以下のステップによりタイムシフト録画が実行できるようにする。
（１）ＴＶにＵＳＢ  ＨＤＤを接続時に性能測定を実施することにより、録画可能チャンネル数を算出する。
（２）録画可能チャンネル数、最大録画可能時間を元に最大チャンネル録画可能で、且つ最も長時間録画が可能な組み合わせを算出して、タイムスケジュールを作成する。
【００５８】
（３）ＵＳＢ  ＨＤＤへアクセスできない場合でも、自動的にリスケジュールを実施する。
（実施例の概要）
本実施例は、図１のように外付けＵＳＢ  ＨＤＤに対してタイムシフト録画を実行することができる装置をハードウェア構成として、想定している。
この装置に外付けＵＳＢ  ＨＤＤを接続すると、後述する図５のような機器登録を促すポップアップ画面が映像表示器１１４に表示される。ユーザーは「はい」を選択し機器登録すると、ＴＶの内部処理で性能測定が実行される。
【００５９】
この性能測定は、指定のＵＳＢ  ＨＤＤが最大録画チャンネル数のタイムシフト録画を実現できるかどうかを確認するために実行する。この性能測定の内容・手段としては、書き込み、読み込み、追いかけ再生の各速度などがある。
【００６０】
測定した結果は図３のようにデバイス情報（リスト）、最大録画チャンネル数の測定リストとして、記録される。即ち各デバイスに対してこの情報は、最大録画チャンネル数だけでなく、総容量に相当する時間をこのチャンネル数で割って求められる１チャンネルあたりの最大録画可能時間も同時に記録する。デバイスＩＤとしては、例えば以下に述べるシリアルナンバー、ベンダー名のデータを内容とする。
【００６１】
（最大録画チャンネル数の測定情報をデジタルテレビジョン放送受信装置１１１に記憶させた場合の動作説明）
次に、この実施形態の動作について図４を用いて詳細に説明する。
図４は、第１の実施形態の動作を説明するためのフローチャートであり、特段説明がない限り、下記動作は制御部２６１の制御に基づき処理が行われる。
デジタルテレビジョン放送受信装置１１１は、最大録画チャンネル数の測定リストを不揮発性メモリ２６１ｃの所定の領域に記憶している。この最大録画チャンネル数の測定リストのデータは、例えば少なくともシリアルナンバー、ベンダー名、測定結果が組として構成されている。
【００６２】
録画再生機能を持ったデジタルテレビジョン放送受信装置１１１に接続したことの無いＵＳＢ  ＨＤＤ１３９（あるいはＵＳＢ  ＨＤＤ１３６〜１３８でも以下同様）を初めて接続したときに、デジタルテレビジョン放送受信装置１１１側ではhotplugやポーリングなどの方法で機器検知を行う（ステップＳ１）。
【００６３】
デジタルテレビジョン放送受信装置１１１は、ステップＳ１で機器検知されたＵＳＢ  ＨＤＤ１３９の検出されたＵＳＢ  ＨＤＤのシリアルナンバー、ベンダー名と、不揮発性メモリ２６１ｃに記憶されている最大録画チャンネル数の測定リストに記述されているシリアルナンバー、ベンダー名とを照らし合わせる（ステップＳ２）。
【００６４】
もし、最大録画チャンネル数の測定リスト中に、機器検知されたＵＳＢ  ＨＤＤ１３９の検出されたＵＳＢ  ＨＤＤのシリアルナンバー、ベンダー名が存在していた場合（ステップＳ２のＹｅｓ）は、この接続されたＵＳＢ  ＨＤＤ１３９は、既に最大録画チャンネル数を測定済みのＵＳＢ  ＨＤＤ１３９であると判断して処理を終了する。このときＵＳＢ  ＨＤＤが、測定テストに合格していれば既に最大録画チャンネル数を測定テストに合格していることを示すようなメッセージ画面を場合により表示してもよい。
【００６５】
逆に、もし最大録画チャンネル数の測定リスト中に、機器検知されたＵＳＢ  ＨＤＤ１３９の検出されたＵＳＢ  ＨＤＤのシリアルナンバー、ベンダー名が存在していなかった場合（ステップＳ２のＮｏ）は、この接続されたＵＳＢ  ＨＤＤ１３９は、登録済みでない（新規に接続されたＵＳＢ  ＨＤＤ）と判断し、新しく登録するかをユーザーへ確認するための図５に示すようなＧＵＩを映像表示器１１４へ表示する（ステップＳ３）。このＧＵＩ画面は、制御部２６１とグラフィック処理部１５４とで生成して画面に多重するようにすれば良い。
【００６６】
この図５に示すＧＵＩ画面に対して、ユーザーが『はい』を選択して例えばリモートコントローラ１１７の決定ボタンを押下する（ステップＳ４のＹｅｓ）と、検出されたＵＳＢ  ＨＤＤ１３９に対して最大録画チャンネル数の測定（詳しくは性能測定により、このチャンネル数を算出）が行われ（ステップＳ５）、反対にユーザーが『いいえ』を選択して例えばリモートコントローラ１１７の決定ボタンを押下する（ステップＳ４のＮｏ）と処理を終了する。このとき新しく接続されたＵＳＢ  ＨＤＤ１３９の登録がキャンセルされたことを示すようなメッセージ画面を場合により表示してもよい。
【００６７】
ステップＳ５の最大録画チャンネル数の測定が成功した場合には、最大録画チャンネル数の測定リストに検出したＵＳＢ  ＨＤＤのシリアルナンバー、ベンダー名を追加して、不揮発性メモリ２６１ｃに記憶されている最大録画チャンネル数の測定リストを更新する。しかしながら、もし、失敗したときにはユーザーに、このＵＳＢ  ＨＤＤが録画再生に使用できないことを、メッセージ画面により通知する等のエラー処理を行っても良い。
【００６８】
以上説明した通り、この実施形態によれば、仮に一度最大録画チャンネル数の測定を行ったＵＳＢ  ＨＤＤについては、取り外された後に再度接続されても最大録画チャンネル数の測定を行わないことで測定時間を短縮した放送受信装置及び方法を提供することができる。
【００６９】
ＴＶでは、タイムシフト機能が無効から有効になった時に、図６のように使用するＵＳＢ  ＨＤＤのタイムスケジュールを作成する。図６の縦軸は時間帯であり、横軸は放送局である。Ａ〜Ｄは、夫々デバイスＡ〜Ｄが録画を担うことを示している。
【００７０】
このタイムスケジュールでは、放送局数に対応する最大チャンネル数録画可能なＵＳＢ  ＨＤＤだけでなく、この最大チャンネル数の録画が不可能な機器も、複数台同時使用することにより（ＣとＤ）、タイムシフトを実現可能にさせる。
【００７１】
例えばＤと最大チャンネル数が同じＥとＣはチャンネルあたりの容量が異なるので、ＥとＣの組み合わせに代えてＣとＤを優先して組み合わせるとＣとＤの録画時間（開始時刻から終了時刻）が同じになる。なお容量は測定によらずＵＳＢ  ＨＤＤから値を読み取ることが一般にできる。
【００７２】
つまり、この例のようにして同時録画を行うチャンネル数を確保する。
また、「ＵＳＢ  ＨＤＤが抜けてしまった」、「ハードディスクアクセスに失敗した」など、何らかの理由で録画予定のＵＳＢ  ＨＤＤにアクセス出来なかったときは、自動的にタイムスケジュールを組みなおすことも出来る。
【００７３】
例えば、図６のようなタイムスケジュールでAM7:00にＡのＵＳＢ  ＨＤＤへのアクセスが失敗してしまったときは、タイムスケジュールを組み直し、Ｃ、ＤのＵＳＢ  ＨＤＤにタイムシフトを実行するなどのフェイルセーフ機能を付加することができる。
【００７４】
このようにすることにより、以下の３点のポイントがある。
（１）ＴＶにＵＳＢ  ＨＤＤを接続時に性能測定を実施することにより、録画可能チャンネル数を算出する。
（２）録画可能チャンネル数、最大録画可能時間を元に最大チャンネル録画可能で、且つ最も長時間録画が可能な組み合わせを算出して、この算出された組み合わせの録画のタイムスケジュールを作成する。
【００７５】
（３）ＵＳＢ  ＨＤＤへアクセスできない場合でも、自動的にリスケジュールを実施する。
以上の実施形態の他の効果として、外部のサーバー等にアクセスせずにテレビのローカルなネットワーク内で閉じている系であるため、面倒な設定や、別機器の購入する必要もない。コストも手間もかからない有効性がある。
【００７６】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００７７】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３６，１３７，１３８，１３９…ＨＤＤ、１２６，１３５…ハブ、１２８，１３３…コンテンツサーバー、１２９…ＤＶＤレコーダ、１３０…アナログ伝送路、１３１…ブロードバンドルータ、１３２…ネットワーク、１３４…携帯電話、１４０…キーボード、１４１…ＡＶ−ＨＤＤ、１４２…Ｄ−ＶＨＳ。
【図１】
2012253466.tif 000003
【図２】
2012253466.tif 000004
【図３】
2012253466.tif 000005
【図４】
2012253466.tif 000006
【図５】
2012253466.tif 000007
【図６】
2012253466.tif 000008